(57)【要約】【課題】システム内の設備機器の管理を一括して行うことができ、また、複数の設備機器からなる設備機器群の追加や変更に柔軟に対応できる群管理装置または群管理システムを提供するものである。【解決手段】本発明の群管理システム１００は、複数の設備機器１０ａからなる第１設備機器群１５ａに接続され第１設備機器群に属する設備機器を集中管理する第１管理装置２０ａと、複数の設備機器とは別の複数の設備機器１０ｂからなる第２設備機器群１５ｂに接続され第２設備機器群に属する設備機器を集中管理する第２管理装置２０ｂと、第１及び第２管理装置に接続され第１及び第２設備機器群を集中管理する群管理装置３０と、を備え、第１及び第２管理装置は、それぞれに接続された第１又は第２設備機器群に属する設備機器を集中管理するための管理プログラムを有し、群管理装置は、第１及び第２設備機器群を集中管理するための群管理プログラムを有する。【選択図】図１
2008262358.tif 000002
【特許請求の範囲】
【請求項１】
複数の設備機器（１０ａ）からなる第１設備機器群（１５ａ）に接続され、前記第１設備機器群に属する前記設備機器を集中管理する第１管理装置（２０ａ）と、
複数の前記設備機器とは別の複数の設備機器（１０ｂ）からなる第２設備機器群（１５ｂ）に接続され、前記第２設備機器群に属する前記設備機器を集中管理する第２管理装置（２０ｂ）と、
前記第１及び第２管理装置に接続され、前記第１及び第２設備機器群を集中管理する群管理装置（３０）と、
を備え、
前記第１及び第２管理装置は、それぞれに接続された前記第１又は第２設備機器群に属する前記設備機器を集中管理するための管理プログラムを有し、
前記群管理装置は、前記第１及び第２設備機器群を集中管理するための群管理プログラムを有する、
群管理システム（１００）。
【請求項２】
前記群管理装置は、
前記群管理プログラムを実行させて前記第１及び第２設備機器群の運転状況を把握する群管理制御部（３４）と、
前記群管理制御部で把握した前記第１及び第２設備機器群の運転状況を群毎に表示する第１表示部（３２ａ）と、
をさらに有する、
請求項１に記載の群管理システム。
【請求項３】
前記第１表示部は、群毎に表示された前記第１及び第２設備機器群のそれぞれにつき、所定部分を選択可能に表示し、
前記群管理装置は、
前記所定部分で選択を受け付けた場合に、前記所定部分に対応する前記第１及び第２設備機器群に属する前記設備機器を管理する前記管理プログラムの管理画面を前記第１表示部で表示させる表示制御部（３４ａ）をさらに有する、
請求項１又は２に記載の群管理システム。
【請求項４】
前記表示制御部は、前記管理装置において起動した前記管理プログラムの前記管理画面を、前記第１表示部においてウェブブラウザを用いて表示させる、
請求項３に記載の群管理システム。
【請求項５】
複数の設備機器からなる第１設備機器群に接続され前記第１設備機器群に属する前記設備機器を自己の管理プログラムを用いて集中管理する第１管理装置と、複数の前記設備機器とは別の複数の設備機器からなる第２設備機器群に接続され前記第２設備機器群に属する前記設備機器を自己の前記管理プログラムを用いて集中管理する第２管理装置と、に接続され、前記第１及び第２設備機器群を集中管理する群管理装置であって、
前記管理プログラムとは異なる、前記第１及び第２設備機器群を集中管理するための群管理プログラムを格納する群管理記憶部（３３）と、
前記群管理プログラムを実行させて前記第１及び第２設備機器群を集中管理する群管理制御部と、
を備える群管理装置。
【請求項６】
前記群管理制御部は、前記群管理プログラムを実行させて前記第１及び第２設備機器群の運転状況を把握し、
前記群管理制御部で把握した前記第１及び第２設備機器群の運転状況を群毎に表示する第１表示部をさらに備える、
請求項５に記載の群管理装置。
【請求項７】
前記第１表示部は、群毎に表示された前記第１及び第２設備機器群のそれぞれにつき、所定部分を選択可能に表示し、
前記所定部分で選択を受け付けた場合に、前記所定部分に対応する前記第１及び第２設備機器群に属する前記設備機器を管理する前記管理プログラムの管理画面を前記第１表示部で表示させる表示制御部をさらに備える、
請求項５又は６に記載の群管理装置。
【請求項８】
前記表示制御部は、前記管理プログラムの管理画面を前記第１表示部においてウェブブラウザを用いて表示させる、
請求項７に記載の群管理装置。
【発明の詳細な説明】
【技術分野】
【０００１】
本発明は、複数の設備機器からなる設備機器群を集中管理する群管理装置及び群管理装置を用いた群管理システムに関する。
【背景技術】
【０００２】
従来より、大学、病院、工場など多数の設備機器が備えられた物件では、多数の設備機器を複数の設備機器からなる設備機器群に分け、各群に管理装置を接続して設備機器を集中管理する管理システムが採用されている。
【０００３】
このような管理システムでは、設備機器の運転状況を把握するために、設備機器に接続された管理装置をそれぞれ確認する必要があるため、管理装置の数が増えると、全ての管理装置において設備機器の運転状況を把握するのも容易ではない。そのため、各管理装置が有する管理機能を備える群管理装置を設け、群管理装置において、システム内の設備機器の管理を一括して行うことが想定しうる。
【発明の開示】
【発明が解決しようとする課題】
【０００４】
しかし、上述のように、管理装置が有する管理機能を群管理装置に備えさせ、群管理装置において管理装置が行う複数の設備機器の管理を直接行うこととすると、システム内に設けられる設備機器群に追加や変更があると、群管理装置において、大幅な設定変更が必要となる。
【０００５】
本発明の課題は、システム内の設備機器の管理を一括して行うことができ、また、複数の設備機器からなる設備機器群の追加や変更に柔軟に対応できる群管理装置または群管理システムを提供するものである。
【課題を解決するための手段】
【０００６】
第１発明に係る群管理システムは、第１管理装置と、第２管理装置と、群管理装置とを備える。第１管理装置は、複数の設備機器からなる第１設備機器群に接続され、第１設備機器群に属する設備機器を集中管理する。第２管理装置は、第１管理装置が集中管理する複数の設備機器とは別の複数の設備機器からなる第２設備機器群に接続され、第２設備機器群に属する設備機器を集中管理する。群管理装置は、第１及び第２管理装置に接続され、第１及び第２設備機器群を集中管理する。また、第１及び第２管理装置は、それぞれに接続された第１又は第２設備機器群に属する複数の設備機器を集中管理するための管理プログラムを有する。群管理装置は、第１及び第２設備機器群を集中管理するための群管理プログラムを有する。
【０００７】
本発明に係る群管理システムでは、第１及び第２管理装置が、自己が有する管理プログラムを用いて、それぞれに接続された第１又は第２設備機器群に属する複数の設備機器を集中管理する。また、群管理装置が、第１及び第２管理装置に接続され、自己が有する群管理プログラムを用いて、第１及び第２管理装置に接続された設備機器群を集中管理する。
【０００８】
これにより、群管理装置は、複数の管理装置を介して、システム内に設置された複数の設備機器と接続可能となり、群管理装置において、管理装置に接続された複数の設備機器群の管理を一括して行うことができる。さらに、群管理装置及び管理装置のそれぞれに群管理プログラム又は管理プログラムが備えられているため、システム内で設備機器群の追加や変更があった場合であっても、群管理装置及び管理装置は、それぞれの管理に必要な設定変更を行えばよいため、設備機器群の追加や変更に柔軟に対応することができる。
【０００９】
第２発明に係る群管理システムは、第１発明に係る群管理システムであって、群管理装置は、群管理制御部と、第１表示部と、をさらに有する。群管理制御部は、群管理プログラムを実行させて第１及び第２設備機器群の運転状況を把握する。第１表示部は、群管理制御部で把握した第１及び第２設備機器群の運転状況を群毎に表示する。
【００１０】
本発明に係る群管理システムでは、群管理装置が、群管理プログラムを実行して第１及び第２設備機器群の運転状況を把握し、その結果を第１表示部に群毎に表示する。
【００１１】
これにより、複数の設備機器が属する設備機器群の運転状況を群管理装置において一括して確認することができるため、設備機器の運転状況を確認するためにシステム内に設けられた複数の管理装置をそれぞれ確認する必要がなく、設備機器の管理を効率よく行うことができる。
【００１２】
第３発明に係る群管理システムは、第１又は第２発明に係る群管理システムであって、第１表示部は、群毎に表示された第１及び第２設備機器群のそれぞれにつき、所定部分を選択可能に表示する。また、群管理装置は、表示制御部をさらに有している。表示制御部は、所定部分で選択を受け付けた場合に、所定部分に対応する第１及び第２設備機器群に属する設備機器を管理する管理プログラムの管理画面を、第１表示部に表示させる。
【００１３】
本発明に係る群管理システムでは、第１表示部で群毎に表示された第１及び第２設備機器群のそれぞれについて所定部分で選択を受け付けることにより、表示制御部が、管理装置で実行される管理プログラムの管理画面を第１表示部において表示させる。ここで、管理プログラムの管理画面は、管理プログラムの管理結果を表示し、また、管理プログラムの操作に用いられる画面を表示する。また、所定部分とは、ユーザが任意で決定する部分であり、当該部分を選択することにより、選択された部分に対応する第１又は第２設備機器群と接続された管理装置で実行される管理プログラムの管理画面が第１表示部に表示される。
【００１４】
したがって、群管理装置においても各設備機器の詳細状態を確認することができるため、システム内の設備機器の管理を群管理装置において一括して行うことができる。
【００１５】
第４発明に係る群管理システムは、第３発明に係る群管理システムであって、表示制御部は、管理装置において起動した管理プログラムの管理画面を第１表示部においてウェブブラウザを用いて表示させる。
【００１６】
本発明に係る群管理システムでは、起動した管理プログラムの管理画面を第１表示部においてウェブブラウザを用いて動作させることが可能であるため、容易に汎用することができる。
【００１７】
第５発明に係る群管理装置は、第１及び第２設備機器群を集中管理する群管理装置であって、群管理記憶部と、群管理制御部と、を備える。第１設備機器群は、複数の設備機器からなり、第２設備機器群は、第１設備機器群に属する複数の設備機器とは別の複数の設備機器からなる。また、第１設備機器群は、第１管理装置と接続され、第２設備機器群は、第２管理装置と接続される。第１管理装置は、第１設備機器群に属する設備機器を自己の管理プログラムを用いて集中管理する。第２管理装置は、第２設備機器群に属する設備機器を自己の管理プログラムを用いて集中管理する。群管理記憶部は、第１及び第２設備機器群を集中管理するための群管理プログラムを格納する。群管理プログラムは管理プログラムと異なるプログラムである。また、群管理制御部は、群管理プログラムを実行させて第１及び第２設備機器群を集中管理する。
【００１８】
本発明に係る群管理装置では、第１及び第２管理装置が有する管理プログラムとは異なる群管理プログラムにより、群管理装置が第１及び第２設備機器群を集中管理する。
【００１９】
これにより、群管理装置が管理装置を介して管理装置に接続された設備機器群の集中管理を行うことにより、システム内の設備機器の管理を一括して行うことができる。さらに、群管理装置に、管理プログラムとは異なる群管理プログラムが備えられているため、システム内で設備機器群の追加や変更があった場合であっても、群管理装置は、設備機器群の管理に必要な設定変更を行えばよいため、設備機器群の追加や変更に柔軟に対応することができる。
【００２０】
第６発明に係る群管理装置は、第５発明に係る群管理装置であって、群管理制御部が、群管理プログラムを実行させて第１及び第２設備機器群の運転状況を把握する。また、群管理装置は、第１表示部をさらに備える。第１表示部は、群管理制御部で把握した第１及び第２設備機器群の運転状況を群毎に表示する。
【００２１】
本発明に係る群管理装置では、群管理制御部が、群管理プログラムを実行して第１及び第２設備機器群の運転状況を把握し、その結果が第１表示部に群毎に表示される。
【００２２】
これにより、複数の設備機器が属する設備機器群の運転状況を群管理装置において一括して確認することができるため、設備機器の運転状況を確認するためにシステム内に設けられた複数の管理装置をそれぞれ確認する必要がなく、設備機器の管理を効率よく行うことができる。
【００２３】
第７発明に係る群管理装置は、第５又は第６発明に係る群管理装置であって、第１表示部は、群毎に表示された第１及び第２設備機器群のそれぞれにつき、所定部分を選択可能に表示する。また、群管理装置は、表示制御部をさらに備える。表示制御部は、所定部分で選択を受け付けた場合に、所定部分に対応する第１及び第２設備機器群に属する設備機器を管理する管理プログラムの管理画面を第１表示部で表示させる。
【００２４】
本発明に係る群管理装置では、第１表示部で群毎に表示された第１及び第２設備機器群のそれぞれについて、所定部分で選択を受け付けることにより、表示制御部が、管理装置で実行される管理プログラムの管理画面を第１表示部において表示させる。ここで、管理プログラムの管理画面は、管理プログラムの管理結果を表示し、また、管理プログラムの操作に用いられる画面を表示する。また、所定部分とは、ユーザが任意で決定する部分であり、当該部分を選択することにより、選択された部分に対応する第１又は第２設備機器群と接続された管理装置で実行される管理プログラムの管理画面が第１表示部に表示される。
【００２５】
したがって、群管理装置においても、各設備機器の詳細状態を確認することができるため、システム内の設備機器の管理を群管理装置において一括して行うことができる。
【００２６】
第８発明に係る群管理装置は、第７発明に係る群管理装置であって、表示制御部は、管理装置で起動した管理プログラムの管理画面を第１表示部においてウェブブラウザを用いて表示させる。
【００２７】
本発明に係る群管理装置では、起動させた管理プログラムの管理画面を第１表示部においてウェブブラウザを用いて表示させることが可能であるため、容易に汎用することができる。
【発明の効果】
【００２８】
第１発明に係る群管理システムでは、群管理装置において、管理装置に接続された複数の設備機器群の管理を一括して行うことができ、さらに、設備機器群の追加や変更に柔軟に対応することができる。
【００２９】
第２発明に係る群管理システムでは、複数の設備機器が属する設備機器群の運転状況を群管理装置において一括して確認することができるため、設備機器の管理を効率よく行うことができる。
【００３０】
第３発明に係る群管理システムでは、群管理装置においても各設備機器の詳細状態を確認することができるため、システム内の設備機器の管理を一括して行うことができる。
【００３１】
第４発明に係る群管理システムでは、起動させた管理プログラムを第１表示部においてウェブブラウザを用いて動作させることが可能であるため、容易に汎用することができる。
【００３２】
第５発明に係る群管理装置では、群管理装置が管理装置を介して管理装置に接続された設備機器群の集中管理を行うことにより、システム内の設備機器の管理を一括して行うことができ、さらに、設備機器群の追加や変更に柔軟に対応することができる。
【００３３】
第６発明に係る群管理装置では、複数の設備機器が属する設備機器群の運転状況を群管理装置において一括して確認することができるため、設備機器の運転状況を確認するためにシステム内に設けられた複数の管理装置をそれぞれ確認する必要がなく、設備機器の管理を効率よく行うことができる。
【００３４】
第７発明に係る群管理装置では、群管理装置においても各設備機器の詳細状態を確認することができるため、システム内の設備機器の管理を一括して行うことができる。
【００３５】
第８発明に係る群管理装置では、起動させた管理プログラムを第１表示部においてウェブブラウザを用いて動作させることが可能であるため、容易に汎用することができる。
【発明を実施するための最良の形態】
【００３６】
〈第１実施形態〉
以下、本発明の第１実施形態に係る群管理システムについて図面を用いて説明する。
【００３７】
〈全体構成〉
図１は、本実施形態に係る群管理システム１００の構成を示す。群管理システム１００は、大学、病院、工場などに用いられる空気調和装置１０ａ，１０ｂ，・・・の管理システムであり、複数の空気調和装置１０ａ，１０ｂ，・・・と、それらを集中管理する管理装置２０ａ，２０ｂ，・・・と、複数の空気調和装置１０ａ，１０ｂ，・・・からなる空気調和装置群１５ａ，１５ｂ，・・・を集中管理する群管理装置３０と、を備えている。
【００３８】
この群管理システム１００では、空気調和装置１０ａ，１０ｂ，・・・は専用制御線で管理装置２０ａ，２０ｂ，・・・に接続され、群管理装置３０がイントラネット回線を介して管理装置２０ａ，２０ｂ，・・・に接続されている。なお、群管理システム１００における管理装置２０ａ，２０ｂ，・・・、管理装置２０ａ，２０ｂ，・・・にそれぞれ接続される設備機器群１５ａ，１５ｂ，・・・、及び設備機器群１５ａ，１５ｂ，・・・に属する空気調和装置１０ａ，１０ｂ，・・・の数は図１に示すものに限定されない。すなわち、図示しないが、管理装置２０ａ，２０ｂの２つの管理装置の他に、別の管理装置が設備機器群１５ａ，１５ｂではない別の設備機器群とそれぞれ接続されており、それらの設備機器群には、空気調和装置１０ａ，１０ｂではない別の空気調和装置が属している。
【００３９】
〈各部の構成〉
（１）空気調和装置１０ａ，１０ｂ，・・・の概略構成
この群管理システム１００では、大学、病院、工場などの一の物件に、複数の空気調和装置１０ａ，１０ｂ，・・・が複数の管理装置２０ａ，２０ｂ，・・・と接続されて設置されている。以下、空気調和装置１０ａについて図２を用いて説明するが、その他の空気調和装置１０ｂについても同様であるものとする。
【００４０】
空気調和装置１０ａは、図示されない圧縮機や熱交換器等から構成される冷媒回路を有している。また、空気調和装置１０ａには、各種センサ１３ａａ，１３ａｂ，１３ａｃ，１３ａｄ，１３ａｅ，・・・が取り付けられている。センサ１３ａａは、空気調和装置１０ａが設置されている部屋の温度を検出する。センサ１３ａｂは、空気調和装置１０ａの設置されている設備付近の外気の温度を検出する。センサ１３ａｃは、空気調和装置１０ａに含まれる圧縮機の吐出管における冷媒の温度である吐出温度を検出する。センサ１３ａｄは、空気調和装置１０ａに含まれる圧縮機の吐出管における冷媒の圧力である吐出圧を検出する。センサ１３ａｅは、空気調和装置１０ａに含まれる圧縮機の吸入管における冷媒の圧力である吸入圧を検出する。
【００４１】
さらに、空気調和装置１０ａは、機器通信部１１ａ及び機器制御部１２ａを有している。機器通信部１１ａは、管理装置２０ａと専用制御線により接続されている。機器制御部１２ａは、外部から送信される制御命令に応じて空気調和装置１０ａの動作を制御する。また、機器制御部１２ａは、上述の各種センサ１３ａａ，１３ａｂ，１３ａｃ，１３ａｄ，１３ａｅ，・・・に接続されており、これらにより検出された値（機器情報）を所定の間隔（本実施形態では１分）で管理装置２０ａに送信する。また、機器制御部１２ａは、所定の間隔（本実施形態では１分）で各種センサ１３ａａ，１３ａｂ，１３ａｃ，１３ａｄ，１３ａｅ，・・・から取得した値を所定の閾値と比較する等し、所定の閾値を超える等の異常を検出した場合には、その旨を示す異常情報も機器情報として管理装置２０ａに向けて送信する。
【００４２】
（２）管理装置２０ａ，２０ｂ，・・・の概略構成
管理装置２０ａ，２０ｂ，・・・は、空気調和装置１０ａ，１０ｂ，・・・が設けられた物件に設置され、専用の制御線を介して、複数の空気調和装置１０ａ，１０ｂ，・・・を集中管理している。なお、管理装置２０ａ，２０ｂ，・・・は、複数の空気調和装置１０ａ，１０ｂ，・・・からなる空気調和装置群１５ａ，１５ｂ，・・・及び後述する群管理装置３０に接続されている。ここで、空気調和装置群１５ａ，１５ｂ，・・・は、システム管理者が複数の空気調和装置１０ａ，１０ｂ，・・・を分けた群であり、空気調和装置１０ａ，１０ｂ，・・・の管理を容易にするため、群毎に管理装置２０ａ，２０ｂ，・・・が接続されている。以下、管理装置２０ａについて、図３を用いて説明するが、その他の管理装置２０ｂ，・・・についても同様であるものとする。
【００４３】
図３に示すように、管理装置２０ａは、主として、管理通信部２１ａ、管理表示部２２ａ、管理記憶部２３ａ及び管理制御部２４ａから構成されている。
【００４４】
管理通信部２１ａは、第１通信部２１ａａ及び第２通信部２１ａｂを有する。第１通信部２１ａａは、群管理装置３０からの制御信号を受信する。第２通信部２１ａｂは、管理装置２０ａと接続された空気調和装置群１５ａに属する空気調和装置１０ａに制御信号を送信し、空気調和装置１０ａからは機器情報を受信する。なお、機器情報とは、空気調和装置１０ａに設けられた各種センサ１３ａａ，１３ａｂ，１３ａｃ，１３ａｄ，１３ａｅ，・・・により検出された値、空気調和装置１０ａの異常に関する情報、及び、後述する管理制御部２４ａが、空気調和装置１０ａの機器制御部１２ａに定期的に接続して把握した空気調和装置１０ａの運転状況に関する情報である。
【００４５】
管理表示部２２ａは、後述する管理プログラムが実行された際の管理画面（図４参照）を表示する。管理画面では管理装置２０ａで受け付けた情報を表示する画面であり、また、管理装置２０ａによる複数の空気調和装置１０ａの制御を受け付けるための操作画面である。
【００４６】
管理記憶部２３ａには、運転データ記憶領域２３ａａ及び起動データ記憶領域２３ａｂが確保されている。運転データ記憶領域２３ａａには、空気調和装置１０ａから受信した機器情報が蓄積されている。起動データ記憶領域２３ａｂは、後述する群管理装置３０からの一括起動命令を受信した場合に、管理装置に接続された空気調和装置１０ａを、当該命令受信後何秒後に起動させるかについての設定を記憶する領域である。さらに、管理記憶部２３ａには、管理装置２０ａに接続された空気調和装置１０ａを管理するための管理プログラムを格納する領域が確保されている。
【００４７】
管理制御部２４ａは、管理記憶部２３ａに記憶された管理プログラムを実行して、管理装置２０ａに接続された空気調和装置群１５ａに属する複数の空気調和装置１０ａを集中管理する。詳細には、管理制御部２４ａは、運転データ記憶領域２３ａａに記憶されている機器情報に基づいて、空気調和装置１０ａの異常の有無を所定の間隔で判断する。また、管理制御部２４ａは、空気調和装置１０ａが備えた機器制御部１２ａに定期的に接続し、空気調和装置１０ａの運転状況（例えば、運転又は停止の状況）を把握する。さらに、管理制御部２４ａは、複数の空気調和装置１０ａの運転の制御（運転・停止、冷房モード・暖房モード・送風モード等の運転モード変更、温度変更、風向変更、風量変更等）を行う。
【００４８】
（３）群管理装置３０の概略構成
群管理装置３０は、空気調和装置１０ａ，１０ｂ，・・・が設けられた物件において、例えば、空気調和装置１０ａ，１０ｂ，・・・等の管理を行うシステム管理者等が待機する場所に一台設置されている。また、群管理装置３０は、複数の管理装置２０ａ，２０ｂ，・・・に接続されており、各管理装置２０ａ，２０ｂ，・・・に接続された空気調和装置群１５ａ，１５ｂ，・・・を集中管理する。
【００４９】
図５に示すように、群管理装置３０は、主として、群管理通信部３１、群管理表示部３２、群管理記憶部３３及び群管理制御部３４から構成されている。
【００５０】
群管理通信部３１は、イントラネット回線を介して、管理通信部２１ａと接続され、管理装置２０ａ，２０ｂ，・・・に対して制御信号を送信し、管理装置２０ａ，２０ｂ，・・・からはデータ信号を受信する。
【００５１】
群管理表示部３２は、主として、第１表示部３２ａ及び第２表示部３２ｂから構成されている。第１表示部３２ａは、後述する群管理制御部３４での複数の空気調和装置群１５ａ，１５ｂ，・・・の管理結果を群毎に表示する。第２表示部３２ｂは、後述する、群管理制御部３４における複数の空気調和装置群１５ａ，１５ｂ，・・・の管理結果を包括的に表示する。
【００５２】
群管理記憶部３３には、群管理装置３０に接続された空気調和装置群１５ａ，１５ｂ，・・・を集中管理するための群管理プログラムを格納する領域が確保されている。
【００５３】
群管理制御部３４は、上述の群管理記憶部３３に記憶された群管理プログラムを実行し、空気調和装置群１５ａ，１５ｂ，・・・の運転状況を把握する。詳細には、群管理制御部３４は、各管理装置２０ａ，２０ｂ，・・・の運転データ記憶領域２３ａａから、空気調和装置１０ａ，１０ｂ，・・・の機器情報を取得し、空気調和装置１０ａ，１０ｂ，・・・が所定の状況であるか否かを判断する。所定の状況とは、運転・停止や異常・正常の状況である。ここで、空気調和装置１０ａ，１０ｂ，・・・のうち少なくとも１の空気調和装置１０ａ，１０ｂ，・・・が運転中である場合は、上述の第１表示部３２ａにおいて当該空気調和装置１０ａ，１０ｂ，・・・が属する空気調和装置群１５ａ，１５ｂ，・・・を運転中であるものと表示し、少なくとも１の空気調和装置１０ａ，１０ｂ，・・・が異常である場合は、異常であるものと表示する。また、空気調和装置群１５ａ，１５ｂ，・・・のうち少なくとも１の群が運転中である場合は、上述の第２表示部３２ｂにおいて、運転中であるものと表示し、空気調和装置群１５ａ，１５ｂ，・・・のうち少なくとも１の群が異常である場合は、異常であるものと表示する。
【００５４】
より詳細に説明するために、図６を参照する。図６は、上述の群管理表示部３２に表示される群管理制御部３４の管理結果を示す群管理プログラムの管理画面である。表６０の領域６１ａに並ぶ各コントローラは、空気調和装置群１５ａ，１５ｂ，・・・に接続された管理装置２０ａ，２０ｂ，・・・を示す。表６０の領域６１ｂは、空気調和装置群１５ａ，１５ｂ，・・・の運転状態（運転又は停止）を示す。表６０の領域６１ｃは、空気調和装置群１５ａ，１５ｂ，・・・の異常状態（異常又は正常）を示す。領域６１ｂ及び６１ｃに表示される空気調和装置群１５ａ，１５ｂ，・・・の運転状況が、第１表示部３２ａに表示される空気調和装置群１５ａ，１５ｂ，・・・の運転状況に相当する。また、領域６２が、上述の第２表示部３２ｂに表示される複数の空気調和装置群１５ａ，１５ｂ，・・・の包括的に表示された運転状況の管理結果に相当する。
【００５５】
第１表示部３２ａに表示する上述の判断結果について、運転中の空気調和装置１０ａ，１０ｂ，・・・があると判断された場合には、当該空気調和装置１０ａ，１０ｂ，・・・が属する空気調和装置群１５ａ，１５ｂ，・・・のコントローラに対応する運転状態の欄（領域６１ｂ）に「運転」と表示し、いずれの空気調和装置１０ａ，１０ｂ，・・・も停止している場合は、領域６１ｂの欄に「停止」と表示する。また、空気調和装置群１５ａ，１５ｂ，・・・に属する空気調和装置１０ａ，１０ｂ，・・・のうち少なくとも１つの空気調和装置１０ａ，１０ｂ，・・・に異常が検出された場合は、異常が検出された空気調和装置１０ａ，１０ｂ，・・・が属する空気調和装置群１５ａ，１５ｂ，・・・に対応する運転状態の欄（領域６１ｃ）に、「異常」と表示し、いずれの空気調和装置１０ａ，１０ｂ，・・・も正常である場合は、領域６１ｃに「正常」と表示する。
【００５６】
さらに、群管理制御部３４は、表示制御部３４ａ，一括表示受付部３４ｂ，一括運転部３４ｃ、一括停止部３４ｄを有する。表示制御部３４ａは、第１表示部３２ａにおいて群毎に表示された空気調和装置群１５ａ，１５ｂ，・・・の所定部分で選択を受け付けることによって作動し、管理装置２０ａ，２０ｂ，・・・で起動する管理プログラムの管理画面を群管理表示部３２において表示させる。詳細には、群毎に表示された空気調和装置群１５ａ，１５ｂ，・・・の所定部分で選択を受け付けることにより、表示制御部３４ａは、選択された空気調和装置群１５ａ，１５ｂ，・・・に接続された管理装置２０ａ，２０ｂ，・・・における管理プログラムの管理画面（図４参照）を群管理表示部３２に表示する。本実施形態において、所定部分とは、図６の領域６３で示す部分である。群管理表示部３２で表示された管理プログラムの管理画面を用いることで、管理装置２０ａ，２０ｂ，・・・を介して、管理装置２０ａ，２０ｂ，・・・に接続された空気調和装置１０ａ，１０ｂ，・・・の運転制御を行うことができる。一括表示受付部３４ｂは、上述した空気調和装置群１５ａ，１５ｂ，・・・毎の運転状況で「異常」と判断された全ての管理装置２０ａ，２０ｂ，・・・について、それぞれの管理装置２０ａ，２０ｂ，・・・で起動した管理プログラムの管理画面を群管理表示部３２において表示させる。なお、一括表示受付部３４ｂは、例えば、群管理プログラムの管理結果を表示する画面に設けられたボタンである（図７の７０参照）。また、ここで表示される管理プログラムの管理画面は、ウェブブラウザを用いて群管理装置３０の群管理表示部３２に表示される。一括運転部３４ｃは、管理装置２０ａ，２０ｂ，・・・に対して、それぞれが管理する空気調和装置１０ａ，１０ｂ，・・・の運転を開始するよう制御信号を送信する。管理装置２０ａ，２０ｂ，・・・は、当該制御信号を受信すると、管理記憶部２３ａの起動データ記憶領域２３ａｂに記憶された設定に基づき、空気調和装置１０ａ，１０ｂ，・・・を起動させる。一括停止部３４ｄは、管理装置２０ａ，２０ｂ，・・・に対して、それぞれが管理する空気調和装置１０ａ，１０ｂ，・・・の運転を停止するよう制御信号を送信する。
【００５７】
〈群管理システム１００における処理の流れ〉
次に、本実施形態係る群管理システム１００における群管理プログラムの制御の流れについて、図８及び９を参照して説明する。
【００５８】
群管理装置３０は、管理装置２０ａ，２０ｂ，・・・に対し、機器情報を要求する（ステップＳ１０１）。管理装置２０ａ，２０ｂ，・・・は、群管理装置３０からの情報要求を受信すると（ステップＳ１０２）、群管理装置３０に対し、運転データ記憶領域２３ａａ内の機器情報を送信する（ステップＳ１０３）。群管理装置３０は、管理装置２０ａ，２０ｂ，・・・からの機器情報を取得すると（ステップＳ１０４）、取得した機器情報に基づいて、空気調和装置群１５ａ，１５ｂ，・・・に属する空気調和装置１０ａ，１０ｂ，・・・の運転状況の把握を開始する（ステップＳ１０５）。ここで、群管理制御部３４は、空気調和装置群１５ａ，１５ｂ，・・・の中に、異常が発生している空気調和装置１０ａ，１０ｂ，・・・があるか否かを判断する（ステップＳ１０６）。１つでも異常が発生している空気調和装置１０ａ，１０ｂ，・・・がある場合、群管理制御部３４は、第１表示部３２ａにおいて、当該空気調和装置１０ａ，１０ｂ，・・・が属する空気調和装置群１５ａ，１５ｂ，・・・の運転状況を「異常」と表示し（ステップＳ１０７）、異常が発生している空気調和装置１０ａ，１０ｂ，・・・がない場合は、第１表示部３２ａに「正常」と表示する（ステップＳ１０８）。さらに、群管理制御部３４は、空気調和装置群１５ａ，１５ｂ，・・・の中に、運転中の空気調和装置１０ａ，１０ｂ，・・・があるか否かを判断する（ステップＳ１０９）。１つでも運転中の空気調和装置１０ａ，１０ｂ，・・・がある場合、群管理制御部３４は、第１表示部３２ａにおいて、当該空気調和装置群１５ａ，１５ｂ，・・・の運転状況を「運転」と表示し（ステップＳ１１０）、いずれの空気調和装置１０ａ，１０ｂ，・・・も停止中である場合は、第１表示部３２ａにおいて、「停止」と表示する（ステップＳ１１１）。群管理制御部３４は、全ての空気調和装置群１５ａ，１５ｂ，・・・の運転状況の把握が終了するまでステップＳ１０５からステップＳ１１１を繰り返し、全ての空気調和装置群１５ａ，１５ｂ，・・・について運転状況の把握が終了したら（ステップＳ１１２）、次のステップＳ１１３に進む。ステップＳ１１３では、群管理制御部３４は、空気調和装置群１５ａ，１５ｂ，・・・の運転状況に「異常」があるか否かを判断する。ここで、１つでも異常が発生している空気調和装置群１５ａ，１５ｂ，・・・がある場合、第２表示部に「異常」と表示する（ステップＳ１１４）。いずれの空気調和装置群１５ａ，１５ｂ，・・・にも異常が発生していない場合、第２表示部に「正常」と表示する（ステップＳ１１５）。また、群管理制御部３４は、空気調和装置群１５ａ，１５ｂ，・・・の運転状況に「運転」があるか否かを判断する（ステップＳ１１６）。１つでも運転中の空気調和装置群１５ａ，１５ｂ，・・・がある場合、第２表示部に「運転」と表示する（ステップＳ１１７）。いずれの空気調和装置群１５ａ，１５ｂ，・・・も運転していない場合、第２表示部に「停止」と表示する（ステップＳ１１８）。
【００５９】
なお、群管理装置３０は、定期的に、及び／もしくは群管理プログラムの管理画面が操作される度にステップＳ１０１からステップＳ１１８の処理を実行し、第１表示部３２ａ及び第２表示部３２ｂに表示される運転状況を更新する（ステップＳ１１９）。
【００６０】
ここで、第１表示部３２ａに表示された空気調和装置群１５ａ，１５ｂ，・・・の所定の部分が選択されると（ステップＳ１２０）、群管理装置３０の表示制御部３４ａは、当該空気調和装置群１５ａ，１５ｂ，・・・が接続された管理装置２０ａ，２０ｂ，・・・に対して管理プログラムの管理画面に関する情報を要求する（ステップＳ１２１）。情報要求を受信した管理装置２０ａ，２０ｂ，・・・は（ステップＳ１２２）、管理プログラムの管理画面に関する情報を群管理装置３０に向けて送信する（ステップＳ１２３）。なお、表示制御部３４ａが管理装置２０ａ，２０ｂ，・・・に対して管理プログラムの管理画面に関する情報を要求する際、管理装置２０ａ，２０ｂ，・・・において管理プログラムが起動していない場合には、管理プログラムを管理装置２０ａ，２０ｂ，・・・内で起動させ、起動した管理プログラムの管理画面に関する情報を取得する。表示制御部３４ａは、その後、群管理表示部３２において、ウェブブラウザを用いて管理プログラムの管理画面を表示させる（ステップＳ１２４）。
【００６１】
〈特徴〉
（１）本実施形態において例示した物件のように、１つの敷地内に複数の建物が分散して設置され、それぞれの建物に複数の空気調和装置１０ａ，１０ｂ，・・・が備えられるような物件では、これらの空気調和装置１０ａ，１０ｂ，・・・を効率よく管理するために、複数の空気調和装置１０ａ，１０ｂ，・・・をいくつかの群に分け、群毎に管理装置２０ａ，２０ｂ，・・・を接続して空気調和装置１０ａ，１０ｂ，・・・が管理されている。そのため、空気調和装置群１５ａ，１５ｂ，・・・の数が増えると、群を管理する管理装置２０ａ，２０ｂ，・・・の数も増加し、全ての管理装置２０ａ，２０ｂ，・・・を確認するだけでも容易ではない。本実施形態に係る群管理装置３０を用いることによって、一の物件の複数の場所に設置された全管理装置２０ａ，２０ｂ，・・・を一つの場所で管理することができるため、効率的に空気調和装置１０ａ，１０ｂ，・・・を管理する上で非常に有用である。
【００６２】
（２）本実施形態に係る群管理システム１００では、システム管理者が、一の物件に設置された複数の管理装置２０ａ，２０ｂ，・・・を介して、それらの管理装置２０ａ，２０ｂ，・・・にそれぞれ接続された複数の空気調和装置群１５ａ，１５ｂ，・・・の運転状況（運転・異常）を一目で判断することができるため、例えば、本実施形態において例示した大学、病院、工場等において、深夜、全ての鍵が返却されているにもかかわらず、運転状況にある空気調和装置群１５ａ，１５ｂ，・・・が発見された場合、当該空気調和装置群１５ａ，１５ｂ，・・・に属するいずれかの空気調和装置１０ａ，１０ｂ，・・・の電源が消し忘れで放置されたものと想定できる。その様な場合であっても、群管理装置３０において一括停止を行うことにより、管理装置２０ａ，２０ｂ，・・・に対して、当該運転中の空気調和装置１０ａ，１０ｂ，・・・の運転停止の制御命令を行うことができる。また、停電時にも、一括運転を実行することにより、物件に設置された全空気調和装置１０ａ，１０ｂ，・・・に対して、管理装置２０ａ，２０ｂ，・・・を介して、運転命令を送信することができる。
【００６３】
（３）さらに、本実施形態に係る群管理システム１００では、群管理表示部３２の第１表示部３２ａで表示された群毎の表示において、各空気調和装置群１５ａ，１５ｂ，・・・の所定の箇所を選択することにより、当該空気調和装置群１５ａ，１５ｂ，・・・に対応する管理装置２０ａ，２０ｂ，・・・において管理プログラムを立ち上げることができる。また、立ち上げられた管理プログラムの画面を群管理装置３０において表示することができるため、一の場所で、物件に設置された全空気調和装置１０ａ，１０ｂ，・・・の運転状況の詳細を確認することができる。すなわち、群管理装置３０において、いずれかの空気調和装置群１５ａ，１５ｂ，・・・において、運転中または異常が発生した空気調和装置１０ａ，１０ｂ，・・・の存在が確認できた場合は、当該空気調和装置群１５ａ，１５ｂ，・・・のどの空気調和装置１０ａ，１０ｂ，・・・が実際に運転中であるか、または異常が発生しているかを、群管理装置３０を用いて特定することができる。
【００６４】
〈変形例〉
（１）上記実施形態において、管理対象となる空気調和装置１０ａ，１０ｂ，・・・は、同一種類の空気調和装置１０ａ，１０ｂ，・・・から構成されるものに限られず、複数種類の空気調和装置１０ａ，１０ｂ，・・・から構成されるものであってもよい、
また、設備機器は、空気調和装置１０ａ，１０ｂ，・・・以外の設備機器であっても良い。例えば、電源設備、給排水装置、加湿器、昇降機、照明装置、防災装置、防犯装置等であってもよく、また、複数の種類の機器が組み合わせられたものであってもよい。
【００６５】
（２）管理装置２０ａ，２０ｂ，・・・と群管理装置３０はイントラネット回線以外の回線で接続されていてもよい。例えば、インターネット回線や電話回線で接続されるものであってもよい。
【００６６】
（３）上記実施形態において、群管理表示部３２で表示された空気調和装置群１５ａ，１５ｂ，・・・の運転状況は、複数の空気調和装置群１５ａ，１５ｂ，・・・に属する複数の空気調和装置１０ａ，１０ｂ，・・・が運転中か否か、及び異常発生があるか否かについての所定の状況についての判断結果であったが、その他ユーザの所望の状況が表示されてもよい。
【００６７】
（４）上記実施形態において説明した群管理プログラムの制御の流れについて、設備機器群１５ａ，１５ｂ，・・・の運転状況及びシステム全体の運転状況の判断は、異常発生の有無、運転中か否か、の順番で行われたが、運転状況の判断はこの順番に限られるものではなく、運転中か否かを判断した後で、異常発生の有無を判断してもよい。
【産業上の利用可能性】
【００６８】
本発明は、複数の管理装置にそれぞれ接続された複数の空気調和装置群、及び空気調和装置群に属する複数の空気調和装置を一括して管理することを可能にし、設備機器、管理装置、及び群管理装置を備える群管理システムとして有用である。
【図面の簡単な説明】
【００６９】
【図１】本発明の一の実施形態に係る群管理システムの全体構成を示す図である。
【図２】本発明の一の実施形態に係る空気調和装置の構成を示す図である。
【図３】本発明の一の実施形態に係る管理装置の構成を示す図である。
【図４】本発明の一の実施形態に係る管理プログラムの管理画面を示す図である。
【図５】本発明の一の実施形態に係る群管理装置の構成を示す図である。
【図６】本発明の一の実施形態に係る群管理プログラムの管理画面を示す図である。
【図７】本発明の一の実施形態に係る群管理プログラムの管理画面を示す図である。
【図８】本発明の一の実施形態に係る群管理プログラムによる制御の流れを示す図である。
【図９】本発明の一の実施形態に係る群管理プログラムによる制御の流れを示す図である。
【符号の説明】
【００７０】
１０ａ，１０ｂ  空気調和装置
１２ａ          機器制御部
１３ａａ−１３ａｅ  センサ
１５ａ，１５ｂ  空気調和装置群
２０ａ，２０ｂ  管理装置
２１ａ          管理通信部
２２ａ          管理表示部
２３ａ          管理記憶部
２４ａ          管理制御部
３０            群管理装置
３１            群管理通信部
３２            群管理表示部
３３            群管理記憶部
３４            群管理制御部
１００          群管理システム
【図１】
2008262358.tif 000003
【図２】
2008262358.tif 000004
【図３】
2008262358.tif 000005
【図４】
2008262358.tif 000006
【図５】
2008262358.tif 000007
【図６】
2008262358.tif 000008
【図７】
2008262358.tif 000009
【図８】
2008262358.tif 000010
【図９】
2008262358.tif 000011
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
複数の設備機器（１０ａ）からなる第１設備機器群（１５ａ）に接続され、前記第１設備機器群に属する前記設備機器を集中管理する第１管理装置（２０ａ）と、
複数の前記設備機器とは別の複数の設備機器（１０ｂ）からなる第２設備機器群（１５ｂ）に接続され、前記第２設備機器群に属する前記設備機器を集中管理する第２管理装置（２０ｂ）と、
前記第１及び第２管理装置に接続され、前記第１及び第２設備機器群を集中管理する群管理装置（３０）と、を備え、
前記第１及び第２管理装置は、それぞれに接続された前記第１又は第２設備機器群に属する前記設備機器を集中管理するための管理プログラムを有し、
前記群管理装置は、
前記第１及び第２設備機器群を集中管理するための群管理プログラムと、
前記群管理プログラムを実行させて前記第１及び第２設備機器群の、群としての運転状況をそれぞれ一つずつ把握する群管理制御部（３４）と、
前記群管理制御部で把握した前記第１及び第２設備機器群の群としての前記運転状況を一覧できる態様で表示する第１表示部（３２ａ）と、を有し、
前記第１表示部は、表示領域における所定部分であって、群としての前記運転状況が表示された前記第１及び第２設備機器群に対応する前記所定部分を選択可能に表示し、
前記群管理装置は、前記所定部分で選択を受け付けた場合に、前記所定部分に対応する前記第１及び第２設備機器群に属する前記設備機器を管理する前記管理プログラムの管理画面を前記第１表示部で表示させる表示制御部（３４ａ）をさらに有する、群管理システム（１００）。
【請求項２】
前記群管理装置は、前記第１及び第２管理装置で起動している前記管理プログラムの管理画面であって、所定の運転状況にある設備機器群に接続される前記第１及び第２管理装置の前記管理画面を一括表示させる一括表示受付部（３４ｂ）をさらに有する、請求項１に記載の群管理システム。
【請求項３】
前記群管理装置は、全ての設備機器群に属する前記複数の設備機器を、前記設備機器群ごとに一括で運転するための制御信号を送信する一括運転部（３４ｃ）をさらに有する、請求項１または２に記載の群管理システム。
【請求項４】
前記群管理装置は、集中管理する全設備機器群の運転状況を一の運転状況として表示する第２表示部をさらに有する、請求項１から３のいずれか一つに記載の群管理システム。
【請求項５】
複数の設備機器からなる第１設備機器群に接続され前記第１設備機器群に属する前記設備機器を自己の管理プログラムを用いて集中管理する第１管理装置と、複数の前記設備機器とは別の複数の設備機器からなる第２設備機器群に接続され前記第２設備機器群に属する前記設備機器を自己の前記管理プログラムを用いて集中管理する第２管理装置と、に接続され、前記第１及び第２設備機器群を集中管理する群管理装置であって、
前記管理プログラムとは異なる、前記第１及び第２設備機器群を集中管理するための群管理プログラムを格納する群管理記憶部（３３）と、
前記群管理プログラムを実行させて前記第１及び第２設備機器群の、群としての運転状況をそれぞれ一つずつ把握する群管理制御部（３４）と、
前記群管理制御部で把握した群としての前記第１及び第２設備機器群の前記運転状況を一覧できる態様で表示する第１表示部（３２ａ）と、を備え、
前記第１表示部は、表示領域における所定部分であって、群としての前記運転状況が表示された前記第１及び第２設備機器群に対応する前記所定部分を選択可能に表示し、
前記所定部分で選択を受け付けた場合に、前記所定部分に対応する前記第１及び第２設備機器群に属する前記設備機器を管理する前記管理プログラムの管理画面を前記第１表示部で表示させる表示制御部（３４ａ）をさらに備える、群管理装置。
【請求項６】
前記第１及び第２管理装置で起動している前記管理プログラムの管理画面であって、所定の運転状況にある設備機器群に接続される前記第１及び第２管理装置の前記管理画面を一括表示させる一括表示受付部（３４ｂ）をさらに備える、請求項５に記載の群管理装置。
【請求項７】
全ての設備機器群に属する前記複数の設備機器を、前記設備機器群ごとに一括で運転するための制御信号を送信する一括運転部（３４ｃ）をさらに備える、請求項５または６に記載の群管理装置。
【請求項８】
集中管理する全設備機器群の運転状況を一の運転状況として表示する第２表示部をさらに備える、請求項５から７のいずれかに記載の群管理装置。
【手続補正２】
【補正対象書類名】明細書
【補正対象項目名】全文
【補正方法】変更
【補正の内容】
【発明の詳細な説明】
【技術分野】
【０００１】
本発明は、複数の設備機器からなる設備機器群を集中管理する群管理装置及び群管理装置を用いた群管理システムに関する。
【背景技術】
【０００２】
従来より、大学、病院、工場など多数の設備機器が備えられた物件では、多数の設備機器を複数の設備機器からなる設備機器群に分け、各群に管理装置を接続して設備機器を集中管理する管理システムが採用されている。
【０００３】
このような管理システムでは、設備機器の運転状況を把握するために、設備機器に接続された管理装置をそれぞれ確認する必要があるため、管理装置の数が増えると、全ての管理装置において設備機器の運転状況を把握するのも容易ではない。そのため、各管理装置が有する管理機能を備える群管理装置を設け、群管理装置において、システム内の設備機器の管理を一括して行うことが想定しうる。
【発明の開示】
【発明が解決しようとする課題】
【０００４】
しかし、上述のように、管理装置が有する管理機能を群管理装置に備えさせ、群管理装置において管理装置が行う複数の設備機器の管理を直接行うこととすると、システム内に設けられる設備機器群に追加や変更があると、群管理装置において、大幅な設定変更が必要となる。
【０００５】
本発明の課題は、システム内の設備機器の管理を一括して行うことができ、また、複数の設備機器からなる設備機器群の追加や変更に柔軟に対応できる群管理装置または群管理システムを提供するものである。
【課題を解決するための手段】
【０００６】
第１発明に係る群管理システムは、第１管理装置と、第２管理装置と、群管理装置とを備える。第１管理装置は、複数の設備機器からなる第１設備機器群に接続され、第１設備機器群に属する設備機器を集中管理する。第２管理装置は、第１管理装置が集中管理する複数の設備機器とは別の複数の設備機器からなる第２設備機器群に接続され、第２設備機器群に属する設備機器を集中管理する。群管理装置は、第１及び第２管理装置に接続され、第１及び第２設備機器群を集中管理する。また、第１及び第２管理装置は、それぞれに接続された第１又は第２設備機器群に属する設備機器を集中管理するための管理プログラムを有する。群管理装置は、群管理プログラムと、群管理制御部と、第１表示部とを有する。群管理プログラムは、第１及び第２設備機器群を集中管理するためのプログラムである。群管理制御部は、群管理プログラムを実行させて第１及び第２設備機器群の、群としての運転状況をそれぞれ一つずつ把握する。第１表示部は、群管理制御部で把握した第１及び第２設備機器群の群としての運転状況を一覧できる態様で表示する。また、第１表示部は、所定部分を選択可能に表示する。所定部分とは、表示領域における部分である。所定部分は、群としての運転状況が表示された第１及び第２設備機器群に対応する。また、群管理装置は、表示制御部をさらに有する。表示制御部は、所定部分で選択を受け付けた場合に、所定部分に対応する第１及び第２設備機器群に属する設備機器を管理する管理プログラムの管理画面を第１表示部で表示させる。
【０００７】
本発明に係る群管理システムでは、第１及び第２管理装置が、自己が有する管理プログラムを用いて、それぞれに接続された第１又は第２設備機器群に属する複数の設備機器が集中管理される。また、群管理装置が、第１及び第２管理装置に接続され、自己が有する群管理プログラムを用いて、第１及び第２管理装置に接続された設備機器群を集中管理する。第１又は第２設備機器群は、群としての運転状況がそれぞれ一つずつ把握される。また、把握された群としての運転状況が一覧できる態様で表示される。さらに、群としての運転状況が表示された第１表示部の表示領域で所定部分の選択を受け付けることにより、管理装置で実行される管理プログラムの管理画面が表示させる。ここで、管理プログラムの管理画面は、管理プログラムの管理結果を表示し、また、管理プログラムの操作に用いられる画面を表示する。また、所定部分とは、ユーザが任意で決定する部分であり、当該部分を選択することにより、選択された部分に対応する第１又は第２設備機器群と接続された管理装置で実行される管理プログラムの管理画面が第１表示部に表示される。
【０００８】
これにより、群管理装置は、複数の管理装置を介して、システム内に設置された複数の設備機器と接続可能となり、群管理装置において、管理装置に接続された複数の設備機器群の管理を一括して行うことができる。さらに、群管理装置及び管理装置のそれぞれに群管理プログラム又は管理プログラムが備えられているため、システム内で設備機器群の追加や変更があった場合であっても、群管理装置及び管理装置は、それぞれの管理に必要な設定変更を行えばよいため、設備機器群の追加や変更に柔軟に対応することができる。
【０００９】
また、複数の設備機器が属する設備機器群の群としての運転状況を群管理装置において一括して確認することができるため、設備機器の運転状況を確認するためにシステム内に設けられた複数の管理装置をそれぞれ確認する必要がなく、設備機器の管理を効率よく行うことができる。
【００１０】
さらに、群管理装置においても各設備機器の詳細状態を確認することができ、システム内の設備機器の管理を群管理装置において一括して行うことができる。
【００１１】
第２発明に係る群管理システムは、第１発明に係る群管理システムであって、群管理装置は、一括表示受付部をさらに有する。一括表示受付部は、前記第１及び第２管理装置で起動している前記管理プログラムの管理画面であって、所定の運転状況にある設備機器群に接続される前記第１及び第２管理装置の前記管理画面を一括表示させる。
【００１２】
第３発明に係る群管理システムは、第１発明または第２発明に係る群管理システムであって、群管理装置は、一括運転部をさらに有する。一括運転部は、全ての設備機器群に属する複数の設備機器を、設備機器群ごとに一括で運転するための制御信号を送信する。
【００１３】
第４発明に係る群管理システムは、第１発明から第３発明のいずれか一つに係る群管理システムであって、群管理装置は、集中管理する全設備機器群の運転状況を一の運転状況として表示する第２表示部をさらに有する。
【００１４】
第５発明に係る群管理装置は、第１及び第２設備機器群を集中管理する群管理装置であって、群管理記憶部と、群管理制御部と、第１表示部とを備える。第１設備機器群は、複数の設備機器からなり、第２設備機器群は、第１設備機器群に属する複数の設備機器とは別の複数の設備機器からなる。また、第１設備機器群は、第１管理装置と接続され、第２設備機器群は、第２管理装置と接続される。第１管理装置は、第１設備機器群に属する設備機器を自己の管理プログラムを用いて集中管理する。第２管理装置は、第２設備機器群に属する設備機器を自己の管理プログラムを用いて集中管理する。群管理記憶部は、第１及び第２設備機器群を集中管理するための群管理プログラムを格納する。群管理プログラムは管理プログラムと異なるプログラムである。群管理制御部は、群管理プログラムを実行させて第１及び第２設備機器群の、群としての運転状況をそれぞれ一つずつ把握する。第１表示部は、群管理制御部で把握した群としての第１及び第２設備機器群の運転状況を一覧できる態様で表示する。また、第１表示部は、所定部分を選択可能に表示する。所定部分とは、表示領域における部分である。所定部分は、群としての運転状況が表示された第１及び第２設備機器群に対応する。また、群管理装置は、表示制御部をさらに備える。表示制御部は、所定部分で選択を受け付けた場合に、所定部分に対応する第１及び第２設備機器群に属する設備機器を管理する管理プログラムの管理画面を第１表示部で表示させる。
【００１５】
本発明に係る群管理装置では、第１及び第２管理装置が有する管理プログラムとは異なる群管理プログラムにより、群管理装置が第１及び第２設備機器群を集中管理する。また、群管理制御部が、群管理プログラムを実行して第１及び第２設備機器群の群としての運転状況をそれぞれ一つずつ把握する。また、把握された群としての運転状況が一覧できる態様で表示される。さらに、群としての運転状況が表示された第１表示部の表示領域で所定部分の選択を受け付けることにより、管理装置で実行される管理プログラムの管理画面が表示される。ここで、管理プログラムの管理画面は、管理プログラムの管理結果を表示し、また、管理プログラムの操作に用いられる画面を表示する。また、所定部分とは、ユーザが任意で決定する部分であり、当該部分を選択することにより、選択された部分に対応する第１又は第２設備機器群と接続された管理装置で実行される管理プログラムの管理画面が第１表示部に表示される。
【００１６】
これにより、群管理装置が管理装置を介して管理装置に接続された設備機器群の集中管理を行うことにより、システム内の設備機器の管理を一括して行うことができる。さらに、群管理装置に、管理プログラムとは異なる群管理プログラムが備えられているため、システム内で設備機器群の追加や変更があった場合であっても、群管理装置は、設備機器群の管理に必要な設定変更を行えばよいため、設備機器群の追加や変更に柔軟に対応することができる。
【００１７】
また、複数の設備機器が属する設備機器群の運転状況を群管理装置において一括して確認することができるため、設備機器の運転状況を確認するためにシステム内に設けられた複数の管理装置をそれぞれ確認する必要がなく、設備機器の管理を効率よく行うことができる。
【００１８】
さらに、群管理装置において、各設備機器の詳細状態を確認することができるため、システム内の設備機器の管理を群管理装置において一括して行うことができる。
【００１９】
第６発明に係る群管理装置は、第５発明に係る群管理装置であって、一括表示受付部をさらに備える。一括表示受付部は、第１及び第２管理装置で起動している管理プログラムの管理画面であって、所定の運転状況にある設備機器群に接続される第１及び第２管理装置の管理画面を一括表示させる。
【００２０】
第７発明に係る群管理装置は、第５又は第６発明に係る群管理装置であって、一括運転部をさらに備える。一括運転部は、全ての設備機器群に属する複数の設備機器を、設備機器群ごとに一括で運転するための制御信号を送信する。
【００２１】
第８発明に係る群管理装置は、第５発明から第７発明のいずれかに係る群管理装置であって、第２表示部をさらに備える。第２表示部は、集中管理する全設備機器群の運転状況を一の運転状況として表示する。
【発明の効果】
【００２２】
本発明に係る群管理システムでは、群管理装置において、管理装置に接続された複数の設備機器群の管理を一括して行うことができ、さらに、設備機器群の追加や変更に柔軟に対応することができる。
【００２３】
また、本発明に係る群管理システムでは、複数の設備機器が属する設備機器群の運転状況を群管理装置において一括して確認することができるため、設備機器の管理を効率よく行うことができる。
【００２４】
さらに、本発明に係る群管理システムでは、群管理装置においても各設備機器の詳細状態を確認することができるため、システム内の設備機器の管理を一括して行うことができる。
【００２５】
また、本発明に係る群管理システムでは、起動させた管理プログラムを第１表示部においてウェブブラウザを用いて動作させることが可能であるため、容易に汎用することができる。
【００２６】
本発明に係る群管理装置では、群管理装置が管理装置を介して管理装置に接続された設備機器群の集中管理を行うことにより、システム内の設備機器の管理を一括して行うことができ、さらに、設備機器群の追加や変更に柔軟に対応することができる。
【００２７】
また、本発明に係る群管理装置では、複数の設備機器が属する設備機器群の運転状況を群管理装置において一括して確認することができるため、設備機器の運転状況を確認するためにシステム内に設けられた複数の管理装置をそれぞれ確認する必要がなく、設備機器の管理を効率よく行うことができる。
【００２８】
さらに、本発明に係る群管理装置では、群管理装置においても各設備機器の詳細状態を確認することができるため、システム内の設備機器の管理を一括して行うことができる。
【００２９】
また、本発明に係る群管理装置では、起動させた管理プログラムを第１表示部においてウェブブラウザを用いて動作させることが可能であるため、容易に汎用することができる。
【発明を実施するための最良の形態】
【００３０】
〈第１実施形態〉
以下、本発明の第１実施形態に係る群管理システムについて図面を用いて説明する。
【００３１】
〈全体構成〉
図１は、本実施形態に係る群管理システム１００の構成を示す。群管理システム１００は、大学、病院、工場などに用いられる空気調和装置１０ａ，１０ｂ，・・・の管理システムであり、複数の空気調和装置１０ａ，１０ｂ，・・・と、それらを集中管理する管理装置２０ａ，２０ｂ，・・・と、複数の空気調和装置１０ａ，１０ｂ，・・・からなる空気調和装置群１５ａ，１５ｂ，・・・を集中管理する群管理装置３０と、を備えている。
【００３２】
この群管理システム１００では、空気調和装置１０ａ，１０ｂ，・・・は専用制御線で管理装置２０ａ，２０ｂ，・・・に接続され、群管理装置３０がイントラネット回線を介して管理装置２０ａ，２０ｂ，・・・に接続されている。なお、群管理システム１００における管理装置２０ａ，２０ｂ，・・・、管理装置２０ａ，２０ｂ，・・・にそれぞれ接続される設備機器群１５ａ，１５ｂ，・・・、及び設備機器群１５ａ，１５ｂ，・・・に属する空気調和装置１０ａ，１０ｂ，・・・の数は図１に示すものに限定されない。すなわち、図示しないが、管理装置２０ａ，２０ｂの２つの管理装置の他に、別の管理装置が設備機器群１５ａ，１５ｂではない別の設備機器群とそれぞれ接続されており、それらの設備機器群には、空気調和装置１０ａ，１０ｂではない別の空気調和装置が属している。
【００３３】
〈各部の構成〉
（１）空気調和装置１０ａ，１０ｂ，・・・の概略構成
この群管理システム１００では、大学、病院、工場などの一の物件に、複数の空気調和装置１０ａ，１０ｂ，・・・が複数の管理装置２０ａ，２０ｂ，・・・と接続されて設置されている。以下、空気調和装置１０ａについて図２を用いて説明するが、その他の空気調和装置１０ｂについても同様であるものとする。
【００３４】
空気調和装置１０ａは、図示されない圧縮機や熱交換器等から構成される冷媒回路を有している。また、空気調和装置１０ａには、各種センサ１３ａａ，１３ａｂ，１３ａｃ，１３ａｄ，１３ａｅ，・・・が取り付けられている。センサ１３ａａは、空気調和装置１０ａが設置されている部屋の温度を検出する。センサ１３ａｂは、空気調和装置１０ａの設置されている設備付近の外気の温度を検出する。センサ１３ａｃは、空気調和装置１０ａに含まれる圧縮機の吐出管における冷媒の温度である吐出温度を検出する。センサ１３ａｄは、空気調和装置１０ａに含まれる圧縮機の吐出管における冷媒の圧力である吐出圧を検出する。センサ１３ａｅは、空気調和装置１０ａに含まれる圧縮機の吸入管における冷媒の圧力である吸入圧を検出する。
【００３５】
さらに、空気調和装置１０ａは、機器通信部１１ａ及び機器制御部１２ａを有している。機器通信部１１ａは、管理装置２０ａと専用制御線により接続されている。機器制御部１２ａは、外部から送信される制御命令に応じて空気調和装置１０ａの動作を制御する。また、機器制御部１２ａは、上述の各種センサ１３ａａ，１３ａｂ，１３ａｃ，１３ａｄ，１３ａｅ，・・・に接続されており、これらにより検出された値（機器情報）を所定の間隔（本実施形態では１分）で管理装置２０ａに送信する。また、機器制御部１２ａは、所定の間隔（本実施形態では１分）で各種センサ１３ａａ，１３ａｂ，１３ａｃ，１３ａｄ，１３ａｅ，・・・から取得した値を所定の閾値と比較する等し、所定の閾値を超える等の異常を検出した場合には、その旨を示す異常情報も機器情報として管理装置２０ａに向けて送信する。
【００３６】
（２）管理装置２０ａ，２０ｂ，・・・の概略構成
管理装置２０ａ，２０ｂ，・・・は、空気調和装置１０ａ，１０ｂ，・・・が設けられた物件に設置され、専用の制御線を介して、複数の空気調和装置１０ａ，１０ｂ，・・・を集中管理している。なお、管理装置２０ａ，２０ｂ，・・・は、複数の空気調和装置１０ａ，１０ｂ，・・・からなる空気調和装置群１５ａ，１５ｂ，・・・及び後述する群管理装置３０に接続されている。ここで、空気調和装置群１５ａ，１５ｂ，・・・は、システム管理者が複数の空気調和装置１０ａ，１０ｂ，・・・を分けた群であり、空気調和装置１０ａ，１０ｂ，・・・の管理を容易にするため、群毎に管理装置２０ａ，２０ｂ，・・・が接続されている。以下、管理装置２０ａについて、図３を用いて説明するが、その他の管理装置２０ｂ，・・・についても同様であるものとする。
【００３７】
図３に示すように、管理装置２０ａは、主として、管理通信部２１ａ、管理表示部２２ａ、管理記憶部２３ａ及び管理制御部２４ａから構成されている。
【００３８】
管理通信部２１ａは、第１通信部２１ａａ及び第２通信部２１ａｂを有する。第１通信部２１ａａは、群管理装置３０からの制御信号を受信する。第２通信部２１ａｂは、管理装置２０ａと接続された空気調和装置群１５ａに属する空気調和装置１０ａに制御信号を送信し、空気調和装置１０ａからは機器情報を受信する。なお、機器情報とは、空気調和装置１０ａに設けられた各種センサ１３ａａ，１３ａｂ，１３ａｃ，１３ａｄ，１３ａｅ，・・・により検出された値、空気調和装置１０ａの異常に関する情報、及び、後述する管理制御部２４ａが、空気調和装置１０ａの機器制御部１２ａに定期的に接続して把握した空気調和装置１０ａの運転状況に関する情報である。
【００３９】
管理表示部２２ａは、後述する管理プログラムが実行された際の管理画面（図４参照）を表示する。管理画面では管理装置２０ａで受け付けた情報を表示する画面であり、また、管理装置２０ａによる複数の空気調和装置１０ａの制御を受け付けるための操作画面である。
【００４０】
管理記憶部２３ａには、運転データ記憶領域２３ａａ及び起動データ記憶領域２３ａｂが確保されている。運転データ記憶領域２３ａａには、空気調和装置１０ａから受信した機器情報が蓄積されている。起動データ記憶領域２３ａｂは、後述する群管理装置３０からの一括起動命令を受信した場合に、管理装置に接続された空気調和装置１０ａを、当該命令受信後何秒後に起動させるかについての設定を記憶する領域である。さらに、管理記憶部２３ａには、管理装置２０ａに接続された空気調和装置１０ａを管理するための管理プログラムを格納する領域が確保されている。
【００４１】
管理制御部２４ａは、管理記憶部２３ａに記憶された管理プログラムを実行して、管理装置２０ａに接続された空気調和装置群１５ａに属する複数の空気調和装置１０ａを集中管理する。詳細には、管理制御部２４ａは、運転データ記憶領域２３ａａに記憶されている機器情報に基づいて、空気調和装置１０ａの異常の有無を所定の間隔で判断する。また、管理制御部２４ａは、空気調和装置１０ａが備えた機器制御部１２ａに定期的に接続し、空気調和装置１０ａの運転状況（例えば、運転又は停止の状況）を把握する。さらに、管理制御部２４ａは、複数の空気調和装置１０ａの運転の制御（運転・停止、冷房モード・暖房モード・送風モード等の運転モード変更、温度変更、風向変更、風量変更等）を行う。
【００４２】
（３）群管理装置３０の概略構成
群管理装置３０は、空気調和装置１０ａ，１０ｂ，・・・が設けられた物件において、例えば、空気調和装置１０ａ，１０ｂ，・・・等の管理を行うシステム管理者等が待機する場所に一台設置されている。また、群管理装置３０は、複数の管理装置２０ａ，２０ｂ，・・・に接続されており、各管理装置２０ａ，２０ｂ，・・・に接続された空気調和装置群１５ａ，１５ｂ，・・・を集中管理する。
【００４３】
図５に示すように、群管理装置３０は、主として、群管理通信部３１、群管理表示部３２、群管理記憶部３３及び群管理制御部３４から構成されている。
【００４４】
群管理通信部３１は、イントラネット回線を介して、管理通信部２１ａと接続され、管理装置２０ａ，２０ｂ，・・・に対して制御信号を送信し、管理装置２０ａ，２０ｂ，・・・からはデータ信号を受信する。
【００４５】
群管理表示部３２は、主として、第１表示部３２ａ及び第２表示部３２ｂから構成されている。第１表示部３２ａは、後述する群管理制御部３４での複数の空気調和装置群１５ａ，１５ｂ，・・・の管理結果を群毎に表示する。第２表示部３２ｂは、後述する、群管理制御部３４における複数の空気調和装置群１５ａ，１５ｂ，・・・の管理結果を包括的に表示する。
【００４６】
群管理記憶部３３には、群管理装置３０に接続された空気調和装置群１５ａ，１５ｂ，・・・を集中管理するための群管理プログラムを格納する領域が確保されている。
【００４７】
群管理制御部３４は、上述の群管理記憶部３３に記憶された群管理プログラムを実行し、空気調和装置群１５ａ，１５ｂ，・・・の運転状況を把握する。詳細には、群管理制御部３４は、各管理装置２０ａ，２０ｂ，・・・の運転データ記憶領域２３ａａから、空気調和装置１０ａ，１０ｂ，・・・の機器情報を取得し、空気調和装置１０ａ，１０ｂ，・・・が所定の状況であるか否かを判断する。所定の状況とは、運転・停止や異常・正常の状況である。ここで、空気調和装置１０ａ，１０ｂ，・・・のうち少なくとも１の空気調和装置１０ａ，１０ｂ，・・・が運転中である場合は、上述の第１表示部３２ａにおいて当該空気調和装置１０ａ，１０ｂ，・・・が属する空気調和装置群１５ａ，１５ｂ，・・・を運転中であるものと表示し、少なくとも１の空気調和装置１０ａ，１０ｂ，・・・が異常である場合は、異常であるものと表示する。また、空気調和装置群１５ａ，１５ｂ，・・・のうち少なくとも１の群が運転中である場合は、上述の第２表示部３２ｂにおいて、運転中であるものと表示し、空気調和装置群１５ａ，１５ｂ，・・・のうち少なくとも１の群が異常である場合は、異常であるものと表示する。
【００４８】
より詳細に説明するために、図６を参照する。図６は、上述の群管理表示部３２に表示される群管理制御部３４の管理結果を示す群管理プログラムの管理画面である。表６０の領域６１ａに並ぶ各コントローラは、空気調和装置群１５ａ，１５ｂ，・・・に接続された管理装置２０ａ，２０ｂ，・・・を示す。表６０の領域６１ｂは、空気調和装置群１５ａ，１５ｂ，・・・の運転状態（運転又は停止）を示す。表６０の領域６１ｃは、空気調和装置群１５ａ，１５ｂ，・・・の異常状態（異常又は正常）を示す。領域６１ｂ及び６１ｃに表示される空気調和装置群１５ａ，１５ｂ，・・・の運転状況が、第１表示部３２ａに表示される空気調和装置群１５ａ，１５ｂ，・・・の運転状況に相当する。また、領域６２が、上述の第２表示部３２ｂに表示される複数の空気調和装置群１５ａ，１５ｂ，・・・の包括的に表示された運転状況の管理結果に相当する。
【００４９】
第１表示部３２ａに表示する上述の判断結果について、運転中の空気調和装置１０ａ，１０ｂ，・・・があると判断された場合には、当該空気調和装置１０ａ，１０ｂ，・・・が属する空気調和装置群１５ａ，１５ｂ，・・・のコントローラに対応する運転状態の欄（領域６１ｂ）に「運転」と表示し、いずれの空気調和装置１０ａ，１０ｂ，・・・も停止している場合は、領域６１ｂの欄に「停止」と表示する。また、空気調和装置群１５ａ，１５ｂ，・・・に属する空気調和装置１０ａ，１０ｂ，・・・のうち少なくとも１つの空気調和装置１０ａ，１０ｂ，・・・に異常が検出された場合は、異常が検出された空気調和装置１０ａ，１０ｂ，・・・が属する空気調和装置群１５ａ，１５ｂ，・・・に対応する運転状態の欄（領域６１ｃ）に、「異常」と表示し、いずれの空気調和装置１０ａ，１０ｂ，・・・も正常である場合は、領域６１ｃに「正常」と表示する。
【００５０】
さらに、群管理制御部３４は、表示制御部３４ａ，一括表示受付部３４ｂ，一括運転部３４ｃ、一括停止部３４ｄを有する。表示制御部３４ａは、第１表示部３２ａにおいて群毎に表示された空気調和装置群１５ａ，１５ｂ，・・・の所定部分で選択を受け付けることによって作動し、管理装置２０ａ，２０ｂ，・・・で起動する管理プログラムの管理画面を群管理表示部３２において表示させる。詳細には、群毎に表示された空気調和装置群１５ａ，１５ｂ，・・・の所定部分で選択を受け付けることにより、表示制御部３４ａは、選択された空気調和装置群１５ａ，１５ｂ，・・・に接続された管理装置２０ａ，２０ｂ，・・・における管理プログラムの管理画面（図４参照）を群管理表示部３２に表示する。本実施形態において、所定部分とは、図６の領域６３で示す部分である。群管理表示部３２で表示された管理プログラムの管理画面を用いることで、管理装置２０ａ，２０ｂ，・・・を介して、管理装置２０ａ，２０ｂ，・・・に接続された空気調和装置１０ａ，１０ｂ，・・・の運転制御を行うことができる。一括表示受付部３４ｂは、上述した空気調和装置群１５ａ，１５ｂ，・・・毎の運転状況で「異常」と判断された全ての管理装置２０ａ，２０ｂ，・・・について、それぞれの管理装置２０ａ，２０ｂ，・・・で起動した管理プログラムの管理画面を群管理表示部３２において表示させる。なお、一括表示受付部３４ｂは、例えば、群管理プログラムの管理結果を表示する画面に設けられたボタンである（図７の７０参照）。また、ここで表示される管理プログラムの管理画面は、ウェブブラウザを用いて群管理装置３０の群管理表示部３２に表示される。一括運転部３４ｃは、管理装置２０ａ，２０ｂ，・・・に対して、それぞれが管理する空気調和装置１０ａ，１０ｂ，・・・の運転を開始するよう制御信号を送信する。管理装置２０ａ，２０ｂ，・・・は、当該制御信号を受信すると、管理記憶部２３ａの起動データ記憶領域２３ａｂに記憶された設定に基づき、空気調和装置１０ａ，１０ｂ，・・・を起動させる。一括停止部３４ｄは、管理装置２０ａ，２０ｂ，・・・に対して、それぞれが管理する空気調和装置１０ａ，１０ｂ，・・・の運転を停止するよう制御信号を送信する。
【００５１】
〈群管理システム１００における処理の流れ〉
次に、本実施形態係る群管理システム１００における群管理プログラムの制御の流れについて、図８及び９を参照して説明する。
【００５２】
群管理装置３０は、管理装置２０ａ，２０ｂ，・・・に対し、機器情報を要求する（ステップＳ１０１）。管理装置２０ａ，２０ｂ，・・・は、群管理装置３０からの情報要求を受信すると（ステップＳ１０２）、群管理装置３０に対し、運転データ記憶領域２３ａａ内の機器情報を送信する（ステップＳ１０３）。群管理装置３０は、管理装置２０ａ，２０ｂ，・・・からの機器情報を取得すると（ステップＳ１０４）、取得した機器情報に基づいて、空気調和装置群１５ａ，１５ｂ，・・・に属する空気調和装置１０ａ，１０ｂ，・・・の運転状況の把握を開始する（ステップＳ１０５）。ここで、群管理制御部３４は、空気調和装置群１５ａ，１５ｂ，・・・の中に、異常が発生している空気調和装置１０ａ，１０ｂ，・・・があるか否かを判断する（ステップＳ１０６）。１つでも異常が発生している空気調和装置１０ａ，１０ｂ，・・・がある場合、群管理制御部３４は、第１表示部３２ａにおいて、当該空気調和装置１０ａ，１０ｂ，・・・が属する空気調和装置群１５ａ，１５ｂ，・・・の運転状況を「異常」と表示し（ステップＳ１０７）、異常が発生している空気調和装置１０ａ，１０ｂ，・・・がない場合は、第１表示部３２ａに「正常」と表示する（ステップＳ１０８）。さらに、群管理制御部３４は、空気調和装置群１５ａ，１５ｂ，・・・の中に、運転中の空気調和装置１０ａ，１０ｂ，・・・があるか否かを判断する（ステップＳ１０９）。１つでも運転中の空気調和装置１０ａ，１０ｂ，・・・がある場合、群管理制御部３４は、第１表示部３２ａにおいて、当該空気調和装置群１５ａ，１５ｂ，・・・の運転状況を「運転」と表示し（ステップＳ１１０）、いずれの空気調和装置１０ａ，１０ｂ，・・・も停止中である場合は、第１表示部３２ａにおいて、「停止」と表示する（ステップＳ１１１）。群管理制御部３４は、全ての空気調和装置群１５ａ，１５ｂ，・・・の運転状況の把握が終了するまでステップＳ１０５からステップＳ１１１を繰り返し、全ての空気調和装置群１５ａ，１５ｂ，・・・について運転状況の把握が終了したら（ステップＳ１１２）、次のステップＳ１１３に進む。ステップＳ１１３では、群管理制御部３４は、空気調和装置群１５ａ，１５ｂ，・・・の運転状況に「異常」があるか否かを判断する。ここで、１つでも異常が発生している空気調和装置群１５ａ，１５ｂ，・・・がある場合、第２表示部に「異常」と表示する（ステップＳ１１４）。いずれの空気調和装置群１５ａ，１５ｂ，・・・にも異常が発生していない場合、第２表示部に「正常」と表示する（ステップＳ１１５）。また、群管理制御部３４は、空気調和装置群１５ａ，１５ｂ，・・・の運転状況に「運転」があるか否かを判断する（ステップＳ１１６）。１つでも運転中の空気調和装置群１５ａ，１５ｂ，・・・がある場合、第２表示部に「運転」と表示する（ステップＳ１１７）。いずれの空気調和装置群１５ａ，１５ｂ，・・・も運転していない場合、第２表示部に「停止」と表示する（ステップＳ１１８）。
【００５３】
なお、群管理装置３０は、定期的に、及び／もしくは群管理プログラムの管理画面が操作される度にステップＳ１０１からステップＳ１１８の処理を実行し、第１表示部３２ａ及び第２表示部３２ｂに表示される運転状況を更新する（ステップＳ１１９）。
【００５４】
ここで、第１表示部３２ａに表示された空気調和装置群１５ａ，１５ｂ，・・・の所定の部分が選択されると（ステップＳ１２０）、群管理装置３０の表示制御部３４ａは、当該空気調和装置群１５ａ，１５ｂ，・・・が接続された管理装置２０ａ，２０ｂ，・・・に対して管理プログラムの管理画面に関する情報を要求する（ステップＳ１２１）。情報要求を受信した管理装置２０ａ，２０ｂ，・・・は（ステップＳ１２２）、管理プログラムの管理画面に関する情報を群管理装置３０に向けて送信する（ステップＳ１２３）。なお、表示制御部３４ａが管理装置２０ａ，２０ｂ，・・・に対して管理プログラムの管理画面に関する情報を要求する際、管理装置２０ａ，２０ｂ，・・・において管理プログラムが起動していない場合には、管理プログラムを管理装置２０ａ，２０ｂ，・・・内で起動させ、起動した管理プログラムの管理画面に関する情報を取得する。表示制御部３４ａは、その後、群管理表示部３２において、ウェブブラウザを用いて管理プログラムの管理画面を表示させる（ステップＳ１２４）。
【００５５】
〈特徴〉
（１）本実施形態において例示した物件のように、１つの敷地内に複数の建物が分散して設置され、それぞれの建物に複数の空気調和装置１０ａ，１０ｂ，・・・が備えられるような物件では、これらの空気調和装置１０ａ，１０ｂ，・・・を効率よく管理するために、複数の空気調和装置１０ａ，１０ｂ，・・・をいくつかの群に分け、群毎に管理装置２０ａ，２０ｂ，・・・を接続して空気調和装置１０ａ，１０ｂ，・・・が管理されている。そのため、空気調和装置群１５ａ，１５ｂ，・・・の数が増えると、群を管理する管理装置２０ａ，２０ｂ，・・・の数も増加し、全ての管理装置２０ａ，２０ｂ，・・・を確認するだけでも容易ではない。本実施形態に係る群管理装置３０を用いることによって、一の物件の複数の場所に設置された全管理装置２０ａ，２０ｂ，・・・を一つの場所で管理することができるため、効率的に空気調和装置１０ａ，１０ｂ，・・・を管理する上で非常に有用である。
【００５６】
（２）本実施形態に係る群管理システム１００では、システム管理者が、一の物件に設置された複数の管理装置２０ａ，２０ｂ，・・・を介して、それらの管理装置２０ａ，２０ｂ，・・・にそれぞれ接続された複数の空気調和装置群１５ａ，１５ｂ，・・・の運転状況（運転・異常）を一目で判断することができるため、例えば、本実施形態において例示した大学、病院、工場等において、深夜、全ての鍵が返却されているにもかかわらず、運転状況にある空気調和装置群１５ａ，１５ｂ，・・・が発見された場合、当該空気調和装置群１５ａ，１５ｂ，・・・に属するいずれかの空気調和装置１０ａ，１０ｂ，・・・の電源が消し忘れで放置されたものと想定できる。その様な場合であっても、群管理装置３０において一括停止を行うことにより、管理装置２０ａ，２０ｂ，・・・に対して、当該運転中の空気調和装置１０ａ，１０ｂ，・・・の運転停止の制御命令を行うことができる。また、停電時にも、一括運転を実行することにより、物件に設置された全空気調和装置１０ａ，１０ｂ，・・・に対して、管理装置２０ａ，２０ｂ，・・・を介して、運転命令を送信することができる。
【００５７】
（３）さらに、本実施形態に係る群管理システム１００では、群管理表示部３２の第１表示部３２ａで表示された群毎の表示において、各空気調和装置群１５ａ，１５ｂ，・・・の所定の箇所を選択することにより、当該空気調和装置群１５ａ，１５ｂ，・・・に対応する管理装置２０ａ，２０ｂ，・・・において管理プログラムを立ち上げることができる。また、立ち上げられた管理プログラムの画面を群管理装置３０において表示することができるため、一の場所で、物件に設置された全空気調和装置１０ａ，１０ｂ，・・・の運転状況の詳細を確認することができる。すなわち、群管理装置３０において、いずれかの空気調和装置群１５ａ，１５ｂ，・・・において、運転中または異常が発生した空気調和装置１０ａ，１０ｂ，・・・の存在が確認できた場合は、当該空気調和装置群１５ａ，１５ｂ，・・・のどの空気調和装置１０ａ，１０ｂ，・・・が実際に運転中であるか、または異常が発生しているかを、群管理装置３０を用いて特定することができる。
【００５８】
〈変形例〉
（１）上記実施形態において、管理対象となる空気調和装置１０ａ，１０ｂ，・・・は、同一種類の空気調和装置１０ａ，１０ｂ，・・・から構成されるものに限られず、複数種類の空気調和装置１０ａ，１０ｂ，・・・から構成されるものであってもよい、
また、設備機器は、空気調和装置１０ａ，１０ｂ，・・・以外の設備機器であっても良い。例えば、電源設備、給排水装置、加湿器、昇降機、照明装置、防災装置、防犯装置等であってもよく、また、複数の種類の機器が組み合わせられたものであってもよい。
【００５９】
（２）管理装置２０ａ，２０ｂ，・・・と群管理装置３０はイントラネット回線以外の回線で接続されていてもよい。例えば、インターネット回線や電話回線で接続されるものであってもよい。
【００６０】
（３）上記実施形態において、群管理表示部３２で表示された空気調和装置群１５ａ，１５ｂ，・・・の運転状況は、複数の空気調和装置群１５ａ，１５ｂ，・・・に属する複数の空気調和装置１０ａ，１０ｂ，・・・が運転中か否か、及び異常発生があるか否かについての所定の状況についての判断結果であったが、その他ユーザの所望の状況が表示されてもよい。
【００６１】
（４）上記実施形態において説明した群管理プログラムの制御の流れについて、設備機器群１５ａ，１５ｂ，・・・の運転状況及びシステム全体の運転状況の判断は、異常発生の有無、運転中か否か、の順番で行われたが、運転状況の判断はこの順番に限られるものではなく、運転中か否かを判断した後で、異常発生の有無を判断してもよい。
【産業上の利用可能性】
【００６２】
本発明は、複数の管理装置にそれぞれ接続された複数の空気調和装置群、及び空気調和装置群に属する複数の空気調和装置を一括して管理することを可能にし、設備機器、管理装置、及び群管理装置を備える群管理システムとして有用である。
【図面の簡単な説明】
【００６３】
【図１】本発明の一の実施形態に係る群管理システムの全体構成を示す図である。
【図２】本発明の一の実施形態に係る空気調和装置の構成を示す図である。
【図３】本発明の一の実施形態に係る管理装置の構成を示す図である。
【図４】本発明の一の実施形態に係る管理プログラムの管理画面を示す図である。
【図５】本発明の一の実施形態に係る群管理装置の構成を示す図である。
【図６】本発明の一の実施形態に係る群管理プログラムの管理画面を示す図である。
【図７】本発明の一の実施形態に係る群管理プログラムの管理画面を示す図である。
【図８】本発明の一の実施形態に係る群管理プログラムによる制御の流れを示す図である。
【図９】本発明の一の実施形態に係る群管理プログラムによる制御の流れを示す図である。
【符号の説明】
【００６４】
１０ａ，１０ｂ  空気調和装置
１２ａ          機器制御部
１３ａａ−１３ａｅ  センサ
１５ａ，１５ｂ  空気調和装置群
２０ａ，２０ｂ  管理装置
２１ａ          管理通信部
２２ａ          管理表示部
２３ａ          管理記憶部
２４ａ          管理制御部
３０            群管理装置
３１            群管理通信部
３２            群管理表示部
３３            群管理記憶部
３４            群管理制御部
１００          群管理システム